(57)【要約】【課題】ＩＣタグを具備する電力部品を、出荷側及び入荷側の両方で部品情報の一括管理を行うことにより、出荷管理、入荷管理、在庫管理及び保守管理を行う電力部品の管理方法を提供する。【解決手段】ＩＣタグを具備する電力部品群６０と、ネットワーク３０に接続された出荷側電力部品管理装置１０と、入荷側電力部品管理装置２０と、出荷側ＰＤＡ４０と、入荷側ＰＤＡ５０とを有し、出荷工程において、出荷側電力部品管理装置１０と、出荷側ＰＤＡ４０と、電力部品群６０のＩＣタグ７０とにより出荷・在庫管理し、入荷工程において、送信された出荷データを基に入荷側電力部品管理装置２０と、入荷側ＰＤＡ５０と、入荷した電力部品のＩＣタグ７０とにより、入荷・在庫を管理し、取付け工程において、電力部品の取付作業に伴う払出、取付けデータ等により資材管理する各ステップを有する。【選択図】      図１
2014021642.tif 000002
【特許請求の範囲】
【請求項１】
電力部品の出荷管理、入荷管理、在庫管理及び保守管理を一括して行う電力部品の管理方法において、
ＩＣタグを具備する電力部品群と、出荷側電力部品管理装置と、出荷側ＰＤＡと、入荷側電力部品管理装置と、入荷側ＰＤＡと、ネットワークとを有し、
前記出荷側電力部品管理装置と前記入荷側電力部品管理装置とが、前記ネットワークで接続され、
出荷工程において、前記出荷側電力部品管理装置が、前記電力部品群の内の所定の電力部品の基本データと出荷数データとを、前記出荷側ＰＤＡに送信するステップと、
前記出荷側ＰＤＡが、前記所定の電力部品から、各々の前記基本データを読み出し、前記出荷数データに基づき確認した後、処理日を付加して前記出荷側電力部品管理装置にこれら各々のデータを送信するステップと、
前記出荷側電力部品管理装置が、受信した前記各々のデータを照合し、出荷先と出荷日のデータを付加したデータを前記入荷側電力部品管理装置に送信するステップと、
入荷工程において、前記入荷側電力部品管理装置が、受信した前記出荷先と出荷日のデータが付加されたデータを前記入荷側ＰＤＡに送信するステップと、
前記入荷側ＰＤＡが、前記所定の電力部品から、各々の前記基本データを読み出し、前記出荷先と出荷日のデータが付加されたデータに基づき確認した後、入荷確認日データを付加して前記入荷側電力部品管理装置に送信するステップと、
取付作業工程において、前記入荷側電力部品管理装置が、取付けに必要な前記電力部品のデータと払い出し数データとを前記入荷側ＰＤＡに送信するステップと、
前記入荷側ＰＤＡが、前記取付けに必要な電力部品から、各々の前記基本データを読み出し、前記払い出し数データに基づき確認した後、払い出し日を付加して前記入荷側電力部品管理装置に送信するするステップと、
前記入荷側ＰＤＡが、前記各々の基本データに取付場所と取付日とを付加したデータを前記入荷側電力部品管理装置に送信するするステップとを有することを特徴とする電力部品の管理方法。
【発明の詳細な説明】
【技術分野】
【０００１】
本発明は、電力部品の管理方法に係り、より詳しくは、ＩＣタグを具備する電力部品を、出荷側及び入荷側の両方で部品情報の一括管理を行うことにより、出荷管理、入荷管理、在庫管理及び保守管理を行う電力部品の管理方法に関する。
【背景技術】
【０００２】
従来電力部品の出荷管理においては、出荷指示書及び在庫品の内容を目視で確認しつつ搬出し、トラック等の輸送機関に積み込んでいる。これにはヒューマンエラーにより、違った部品や数量を出荷する可能性があり、その場合、再出荷の手間のみならず、客先に多大な迷惑を掛ける可能性がある。また、このようなミスを避けるために、人手による二重、三重のチェックを行うなど多大な労力を要していた。
【０００３】
また、入荷管理においては、入荷した部品と出荷元からの送付状を目視により照合し、データをキーボードから管理端末に入力していた。この場合も、照合ミスや転記ミスなどといったヒューマンエラーの防止に多大な労力を要していた。
【０００４】
電力部品の現場取付けにおいては作業指示書に基づき作業を行うが、取り付ける部品の個別データとして、製造社名、型番、サイズ、ロット番号、個別ＩＤ、製造年月、鋳造部品ロット番号、数量、出荷先、出荷日、入荷日、現場取付日、取付作業者、取付箇所等を、設備資材管理データとして有用なデータをまとめることは人的には困難である。
【０００５】
また、取付部品の定期点検時に異常個所を発見した場合は、カメラに撮影し、前述のような個々の部品の詳細なデータを付記しなければならないが、この作業を人手により行うことは容易ではなかった。
【０００６】
特許文献１には、部品に装着した部品ＩＣタグに部品の情報を記憶し、予め顧客の機種に応じて、保守・管理作業で使用する部品の種類と必要数を設定し、その情報に基づいて保守・管理作業で使用する部品の種類と必要数を揃えて収納ボックスに収納し、収納ボックスを特定するために、各収納ボックスにボックス識別情報を付与し、そのボックス識別情報を記憶したボックスＩＣタグを収納ボックスに装着することによって、部品ＩＣタグとボックスＩＣタグの情報を読み取ることで、保守・管理作業で使用する部品の種類と必要数が収納ボックス内に収納されているか否かを判別する、旨の記載がある。
【先行技術文献】
【特許文献】
【０００７】
【特許文献１】特開２００９−２９４９０８号公報
【発明の概要】
【発明が解決しようとする課題】
【０００８】
本発明は、このような問題を解決するためになされたものであり、その目的は、ＩＣタグを具備する電力部品を、出荷側及び入荷側の両方で部品情報の一括管理を行うことにより、出荷管理、入荷管理、在庫管理及び保守管理を行う電力部品の管理方法を提供する。
【課題を解決するための手段】
【０００９】
本発明の電力部品の管理方法は、電力部品の出荷管理、入荷管理、在庫管理及び保守管理を一括して行う電力部品の管理方法において、ＩＣタグを具備する電力部品群と、出荷側電力部品管理装置と、出荷側ＰＤＡ（ＰＤＡは携帯情報端末）と、入荷側電力部品管理装置と、入荷側ＰＤＡと、ネットワークとを有し、出荷側電力部品管理装置と入荷側電力部品管理装置とが、ネットワークで接続され、出荷工程において、出荷側電力部品管理装置が、電力部品群の内の所定の電力部品の基本データと出荷数データとを、出荷側ＰＤＡに送信するステップと、出荷側ＰＤＡが、所定の電力部品から、各々の基本データを読み出し、出荷数データに基づき確認した後、処理日を付加して出荷側電力部品管理装置にこれら各々のデータを送信するステップと、出荷側電力部品管理装置が、受信した各々のデータを照合し、出荷先と出荷日のデータを付加したデータを入荷側電力部品管理装置に送信するステップと、入荷工程において、入荷側電力部品管理装置が、受信した出荷先と出荷日のデータが付加されたデータを入荷側ＰＤＡに送信するステップと、入荷側ＰＤＡが、所定の電力部品から、各々の基本データを読み出し、出荷先と出荷日のデータが付加されたデータに基づき確認した後、入荷確認日データを付加して入荷側電力部品管理装置に送信するステップと、取付作業工程において、入荷側電力部品管理装置が、取付けに必要な電力部品のデータと払い出し数データとを入荷側ＰＤＡに送信するステップと、入荷側ＰＤＡが、取付けに必要な電力部品から、各々の基本データを読み出し、払い出し数データに基づき確認した後、払い出し日を付加して入荷側電力部品管理装置に送信するするステップと、入荷側ＰＤＡが、取付けに必要な電力部品の取付け終了後、各々の基本データに取付場所と取付日とを付加したデータを入荷側電力部品管理装置に送信するするステップとを有する。
【発明の効果】
【００１０】
本発明によれば、ＩＣタグを具備する電力部品を、出荷側及び入荷側の両方で部品情報の一括管理を行うことにより、出荷管理、入荷管理、在庫管理及び保守管理を行う電力部品の管理方法を提供することができる。
【図面の簡単な説明】
【００１１】
【図１】本発明による電力部品の管理のシステム構成図。
【図２】本発明による電力部品の管理データの処理手順を示すデータフロー図。
【図３】本発明のシステムにおける各記憶手段の記憶データを示すデータ図。
【発明を実施するための形態】
【実施例】
【００１２】
本発明の実施の形態について、図を用いて説明する。図１は、本発明による電力部品の管理のシステム構成図である。図１において、電力部品の管理のシステム１００は、ＩＣタグ７０を具備する複数種類、複数個の電力部品群６０と、出荷側電力部品管理装置１０と、出荷側ＰＤＡ４０と、入荷側電力部品管理装置２０と、入荷側ＰＤＡ５０と、ネットワーク３０とを有している。また、出荷側電力部品管理装置１０と入荷側電力部品管理装置２０とは、ネットワーク３０に接続されている。また電力部品群６０は、様々な電力部品６０−１〜６０−ｎを有し、それぞれＩＣタグ７０を具備している。
【００１３】
出荷側電力部品管理装置１０は、ネットワーク接続手段１２と、ＰＤＡ通信手段１４と、部品管理処理手段１６と、記憶手段１８とを有している。出荷側ＰＤＡ４０は、管理手段・ＩＣタグ通信手段４２と、部品データ処理手段４４と、記憶手段４６とを有している。また、ＩＣタグ７０は、読み出し専用のＰＤＡ通信手段７２と、記憶手段７６とを有している。
【００１４】
入荷側電力部品管理装置２０は、ネットワーク接続手段２２と、ＰＤＡ通信手段２４と、部品管理処理手段２６と、記憶手段２８とを有している。入荷側ＰＤＡ５０は、管理手段・ＩＣタグ通信手段５２と、部品データ処理手段５３と、記憶手段５４と、ＧＰＳ受信手段５５と、カメラ撮影手段５６とを有している。
【００１５】
図２は、本発明の電力部品の管理データの処理手順を示すデータフロー図である。図２において、ＩＣタグ７０と出荷側電力部品管理装置１０とで共有される基本データが、システム上でどのように処理され、管理されるかの処理手順が示されている。図３は、本発明のシステムにおける各記憶手段の記憶データを示すデータ図である。ＩＣタグ７０の記憶手段７６と、出荷側電力部品管理装置１０の記憶手段１８とには、基本データとして、部品名、製造会社名、型番、サイズ、個別ＩＤ、製造年月日、ロット番号、鋳造部品ロット番号等が、事前に記憶されている。
【００１６】
図１の電力部品の管理のシステム１００において、図３の各記憶手段の記憶データが、どのように管理されるかその方法を、図２のデータフロー図に沿って説明する。まず、出荷工程において、出荷側電力部品管理装置１０の部品管理処理手段１６は、受注された各電力部品（６０−１〜６０−３）に応じて、記憶手段１８から該当する電力部品の基本データと出荷数量とを読出し、在庫を確認した後、各電力部品の基本データとそれらの出荷数を、ＰＤＡ通信手段１４を介してＰＤＡ４０へ送信し、ＰＤＡ４０の部品データ処理手段４４は、管理手段・ＩＣタグ通信手段４２を介して受信した各部品の基本データとそれらの出荷数を記憶手段４６に記憶する（ステップ１）。
【００１７】
ＰＤＡ４０の部品データ処理手段４４は、電力部品群６０の内の出荷に該当する各部品毎に対応する基本データを管理手段・ＩＣタグ通信手段４２を介して要求し、当該電力部品の各ＩＣタグ７０は、ＰＤＡ通信手段７２を介し要求された基本データを記憶手段７６から読み出し、ＰＤＡ４０へ送信し，ＰＤＡ４０は、記憶手段４６のデータと照合して確認し、その処理日を記憶手段４６へ記憶する（ステップ２、ステップ３）。この操作を出荷数量に達するまで行い、出荷品の仕分けを行う。
【００１８】
つぎに、ＰＤＡ４０は、出荷確認の取れた各電力部品の処理日を基本データと共に出荷側電力部品管理装置１０へ送信する（ステップ４）。出荷側電力部品管理装置１０は受信したデータの確認が取れると、それらのデータに出荷先名と出荷日とを付加して記憶し、これらの出荷データをネットワーク接続手段１２を介し、入荷側電力部品管理装置２０へ送信し（ステップ５）、その後、在庫処理して記憶手段１８へ記憶する。
【００１９】
次に入荷工程において、入荷側電力部品管理装置２０の部品管理処理手段２６は、送信された出荷データをネットワーク接続手段２２を介して受信して記憶手段２８へ記憶すると共に、ＰＤＡ通信手段２４を介してそれらのデータをＰＤＡ５０へ送信する（ステップ５、ステップ６）。ＰＤＡ５０の部品データ処理手段５３は、管理手段・ＩＣタグ通信手段５２を介して受信したデータを記憶手段５４に記憶し、入荷した各電力部品毎に、管理手段・ＩＣタグ通信手段５２を介して各々の有するデータを要求し、それら電力部品の各ＩＣタグ７０のＰＤＡ通信手段７２は、要求された基本データを記憶手段７６から読み出してＰＤＡ５０へ送信し，ＰＤＡ５０は、各データを確認すると入荷確認日を付加して記憶手段５４に記憶すると共に、それらのデータを入荷側電力部品管理装置２０へ送信し、入荷側電力部品管理装置２０は、このデータを基に在庫処理して記憶手段２８に記憶する（ステップ７、ステップ８）。
【００２０】
次に取付作業工程において、入荷側電力部品管理装置２０は、各電力部品の内から取付けに必要な電力部品のそれぞれの有するデータとその払出数とを入荷側ＰＤＡ５０に送信する（ステップ９）。入荷側ＰＤＡ５０は、受信した払出数に対応する各取付けに必要な電力部品のそれぞれに基本データを要求し、各取付けに必要な電力部品のＩＣタグ７０は、各々のデータを入荷側ＰＤＡ５０へ送信し、入荷側ＰＤＡ５０は、各データを確認すると払出日を付加して記憶手段５４に記憶すると共に、それらのデータを入荷側電力部品管理装置２０へ送信する。この操作を払出数量に達するまで行い、払出品の仕分けを行う。入荷側電力部品管理装置２０は、これらのデータを基に在庫処理して記憶手段２８に記憶する（ステップ１０〜ステップ１２）。
【００２１】
次に入荷側ＰＤＡ５０は、取付作業が終了した各取付けに必要な電力部品の取付け位置を、ＧＰＳ受信手段５５から取得し、取付日と共に記憶手段５４に記憶する（ステップ１３）。また、入荷側ＰＤＡ５０は、それらのデータを入荷側電力部品管理装置２０へ送信し、入荷側電力部品管理装置２０は、これらのデータを設備資材保守管理データとして処理し記憶する（ステップ１４）。
【００２２】
このように、さまざまな電力部品群に対して、出荷側は、出荷管理、在庫管理を行い、入荷側は、入荷管理、在庫管理を一括管理で行うことが可能となる。また入荷側では、送電線や配電線の現場に電力部品を取付け、個々の部品について取付け作業者、取付け日・時間、取付け箇所等の詳細なデータ等をＩＣタグを用いて管理することにより、より具体的な設備の資材管理が可能となる。これにより、災害、事故等の緊急時に必要な資材を迅速に把握できる。また、入荷後に電力部品に不具合が発生又は発見された場合、その部品のデータから、同一ロット品の取付け箇所の追跡・処置、出荷側へのフィードバック等を迅速に行うことが可能となり、出荷側では該当部品の品質管理、在庫管理に迅速に反映できる。また入荷側での定期点検の際に、損傷、腐食、摩耗などの異状が発見された場合、入荷側ＰＤＡ５０の有するカメラ撮影手段５６により撮影することにより、定期点検時のデータの収集と分析が容易となり、そのデータを損耗状態遷移データとして管理することにより、予防保全に役立てることができる。これらのことから、出荷側及び入荷側の電力部品の管理装置をネットワークで結び、ＩＣタグを具備する電力部品の部品情報の一括管理を行うことにより、在庫管理及び保守管理を行う電力部品の管理方法を提供することができる。
【符号の説明】
【００２３】
１０  出荷側電力部品管理装置
１２  ネットワーク接続手段
１４  ＰＤＡ通信手段
１６  部品管理処理手段
１８  記憶手段
２０  入荷側電力部品管理装置
２２  ネットワーク接続手段
２４  ＰＤＡ通信手段
２６  部品管理処理手段
２８  記憶手段
３０  ネットワーク
４０  出荷側ＰＤＡ
４２  管理手段・ＴＣタグ通信手段
４４  部品データ処理手段
４６  記憶手段
５０  入荷側ＰＤＡ
５２  管理手段・ＴＣタグ通信手段
５３  部品データ処理手段
５４  記憶手段
５５  ＧＰＳ受信手段
５６  カメラ撮影手段
６０  電力部品群
６０−１〜６０−ｎ  電力部品
７０  ＩＣタグ
７２  ＰＤＡ通信手段
７６  記憶手段
１００  本発明の電力部品の管理システム
【図１】
2014021642.tif 000003
【図２】
2014021642.tif 000004
【図３】
2014021642.tif 000005